(57)【要約】【課題】穀粒袋に穀粒をバランス良くためることができるように、穀粒がオーガ排出口から排出される位置及び角度を３次元的に調整することができる、オーガ排出口カバーを提供する。【解決手段】本発明のオーガ排出口カバーは、コンバインのオーガ排出口に接合する接合部と、接合部に接続されて３次元方向に曲げることが可能なホース部と、ホース部の先端に開口して設けられた穀粒排出口と、穀粒排出口に固定されたワイヤと、ワイヤに張力を付与して前記穀粒排出口の位置及び角度を制御するワイヤウインチと、を備える。ワイヤウインチは、遠隔操作手段からの信号を受信してワイヤウインチを構成するドラムを受信した信号に対応した方向に回転させ、又は停止させる。【選択図】  図８
2004147617.tif 000002
【特許請求の範囲】
【請求項１】
コンバインのオーガ排出口に接合する接合部と、
前記接合部に接続されて３次元方向に曲げて曲げ状態を維持することが可能なホース部と、
前記ホース部の先端に開口して設けられた穀粒排出口と、
を具備するオーガ排出口カバー。
【請求項２】
前記ホース部先端部に取っ手を設けた請求項１に記載のオーガ排出口カバー。
【請求項３】
前記穀粒排出口は、排出される穀粒を集中させ及び分散させる排出規制手段を備えた、請求項１又は２に記載のオーガ排出口カバー。
【請求項４】
棒状体の一方の先端に支持部を設け、前記棒状体の他方の先端にハンドル部を設けた、コントロールスティックであって、
前記支持部は請求項１乃至３に記載のオーガ排出口カバーの前記ホース部を支持し、
前記ハンドル部の移動、又は回転に連動して前記穀粒排出口の位置及び角度をコントロールする、
前記オーガ排出口カバーのコントロールスティック。
【請求項５】
請求項１乃至３に記載のオーガ排出口カバーの前記ホース部を、請求項４に記載のコントロールスティックの前記支持部により支持又は固定し、前記コントロールスティックのハンドル部を移動又は回転させて、前記オーガ排出口カバーの穀粒排出口の位置及び／又は角度を制御する、オーガ排出口カバーの制御方法。
【請求項６】
コンバインのオーガ排出口に接合する接合部と、
前記接合部に接続されて３次元方向に曲げることが可能なホース部と、
前記ホース部の先端に開口して設けられた穀粒排出口と、
前記穀粒排出口に固定されたワイヤと、
前記ワイヤに張力を付与して前記穀粒排出口の位置及び／又は角度を制御するワイヤウインチと、
を備えるオーガ排出口カバー。
【請求項７】
前記ワイヤウインチは、遠隔操作手段からの信号を受信して該ワイヤウインチを構成するドラムを該受信した信号に対応した方向に回転させ、又は停止させる請求項６に記載のオーガ排出口カバー。
【請求項８】
前記穀粒排出口は、排出される穀粒を集中させ及び分散させる排出規制手段を備え、前記遠隔操作手段からの信号によって該排出される穀粒を集中させ及び分散させる、請求項６又は７に記載のオーガ排出口カバー。
【請求項９】
請求項７に記載のワイヤウインチを、前記遠隔操作手段により操作して、請求項６乃至８に記載のオーガ排出口カバーの穀粒排出口の位置及び／又は角度を制御するオーガ排出口カバーの制御方法。
【発明の詳細な説明】
【０００１】
【発明の属する技術分野】
本発明は、コンバインやハーベスタ等の排出装置の排出口に取り付けるカバーに関する。
【０００２】
【従来の技術】
近年、稲を刈取り、脱穀するコンバインは、グレインタンク式が主流となっている。この種のコンバインは以下に詳説するように、穀粒排出装置であるオーガ筒を備え、このオーガ筒を通じてグレインタンクに貯まった穀粒を排出する。即ち、穀粒がグレインタンクに一定量貯まると、オーガ筒先端に開口して形成されたオーガ排出口より穀粒を排出し、穀粒袋や穀粒入れ箱に穀粒を貯めてゆく。
【０００３】
上記オーガ筒はグレインタンクに穀粒を取り出し可能に設置されており、通常広範囲に旋回可能であり、又昇降も自在である。従ってオーガ筒を旋回等して操作することにより、上記オーガ排出口の位置を載置された穀粒袋等の開口部に合わせることができる。
【０００４】
しかし、コンバインから例えばトラックに積載された穀粒入れ箱等の開口部までの長さが合わない場合は、コンバイン自身の位置の微調整が必要となる場合があった。
【０００５】
また、上記オーガ排出口はオーガ筒に対して直角方向に固定されて開口されており、穀粒袋等の一箇所のみに穀粒が貯まってバランスが悪くなると、穀粒ができるだけ一様に貯まるようにその都度オーガ筒を再操作するか、穀粒入れ箱を積載したトラック又はコンバインを動かして位置合わせしなければならなかった。
【０００６】
ところで、従来、オーガ筒の排出口カバーを工夫したものとしては、穀粒等の漏出を防止しながら穀粒の詰まり等を生じないで穀粒の排出を良好とする構造のものがある（例えば、特許文献１を参照）。また、オーガ筒の先端に排出口を回動自在に取り付けたものもある（例えば、特許文献２を参照）。しかし、モミの排出口の位置及び角度を、３次元的に調整できるオーガ筒の排出口カバーは存在しなかった。
【０００７】
【特許文献１】
特開平２０００−５０７２５号公報（第２−３頁、図３）
【特許文献２】
特開平２００１−２２４２３８号公報（第１−２頁、図８、図９）
【０００８】
【発明が解決しようとする課題】
そこで本発明は、穀粒袋に穀粒をバランス良くためることができるように、穀粒がオーガ排出口から排出される位置及び角度を３次元的に調整することができる、オーガ排出口カバーを提供する。また、当該オーガ排出口カバーを遠隔操作して、穀粒の排出口の位置、角度を変えることのできるコントロールスティックを提供しようとする。更に遠隔操作手段によりオーガ排出口カバーの先端の穀粒排出口の位置、角度を遠隔制御することのできる、オーガ排出口カバーを提供する。
【０００９】
【課題を解決するための手段】
本発明に係るオーガ排出口カバーは、コンバインのオーガ排出口に接合する接合部と、前記接合部に接続されて３次元方向に曲げて曲げ状態を維持することが可能なホース部と、前記ホース部の先端に開口して設けられた穀粒排出口と、を具備する。
【００１０】
本明細書において、コンバインは同種類のハーベスタ等の機械も含み、又、穀粒は、稲のモミや麦の実、蕎麦の実等の、コンバインで刈入れ、脱穀を行なう作物の実を全てを含む意味で用いられる。
【００１１】
本発明に係るオーガ排出口カバーは、前記ホース部は伸縮可能であり、伸び状態及び縮み状態を維持することが可能である。
【００１２】
本発明に係るオーガ排出口カバーは、前記ホース部先端部に取っ手を設けてもよい。
【００１３】
本発明に係るオーガ排出口カバーは、前記穀粒排出口が、雄ネジと雌ネジを螺合させて構成され、雄ネジ内部の中空に中子部が中子軸で支持して配設されていてもよい。ここで雄ネジはオーガ排出口カバーのホース部に直接接続されており、雌ネジは雄ネジに被せて両者を螺合する。又、中子部は雄ネジ内部の中心軸上に配置され、中子軸によって雄ネジ内壁に固定されている。
【００１４】
かかる構成とすれば、上記ホース部は自在に曲げることができ、その曲げ状態を維持することができるため、穀粒を排出する位置及び角度を調節することができる。また、ホース部を蛇腹構造等にすれば伸縮自在となり、穀粒を排出するホース部の長さを調節することもできる。更に、穀粒排出口を雄ネジと雌ネジを螺合させて構成すれば、穀粒排出口の長さも調整することができる。
【００１５】
本発明に係るオーガ排出口カバーのコントロールスティックは、棒状体の一方の先端に支持部を設け、前記棒状体の他方の先端にハンドル部を設けた、コントロールスティックであって、前記支持部はオーガ排出口カバーの前記ホース部を支持し、前記ハンドル部の移動、又は回転に連動して前記穀粒排出口の位置及び角度をコントロールする。
【００１６】
本発明に係るコントロールスティックの支持部は欠リング状であり、前記ホース部に係合して支持する。ここで欠リング状とは、リングの一部が欠けていて、周状に繋がっていない形状をいう。
【００１７】
本発明に係るコントロールスティックの支持部は鋏状であり、前記ホース部を挟持して支持する。
【００１８】
本発明に係るコントロールスティックの前記棒状体は長さが調節可能であってよい。
【００１９】
かかる構成とすれば、遠方から手動にてオーガ排出口カバーを前後左右、及び上下に動かすことができる。スティックの一端を鋏状にしてホース部を挟持するようにしても同様である。また、コントロールスティックを様々な方向に回転させることにより、オーガ排出口カバーのホース部を曲げることもできる。
【００２０】
本発明に係るオーガ排出口カバーを制御する方法は、オーガ排出口カバーの前記ホース部を、コントロールスティックの前記支持部により支持又は固定し、前記コントロールスティックのハンドル部を移動又は回転させて、前記オーガ排出口カバーの穀粒排出口の位置及び／又は角度を制御する。
【００２１】
本発明に係るオーガ排出口カバーは、コンバインのオーガ排出口に接合する接合部と、前記接合部に接続されて３次元方向に曲げることが可能なホース部と、前記ホース部の先端に開口して設けられた穀粒排出口と、前記穀粒排出口に固定されたワイヤと、前記ワイヤに張力を付与して前記穀粒排出口の位置及び／又は角度を制御するワイヤウインチと、を備える。
【００２２】
前記ワイヤウインチは、遠隔操作手段からの信号を受信して該ワイヤウインチを構成するドラムを該受信した信号に対応した方向に回転させ、又は停止させ得る。
【００２３】
前記穀粒排出口は、内管に外管を外嵌させて構成され、雄ネジ内部の中空に中子部を中子軸で支持して配設し、前記ワイヤは外管に固定されてもよい。
【００２４】
本発明に係るオーガ排出口カバーを制御する方法は、ワイヤウインチを、前記遠隔操作手段により操作して、穀粒排出口の位置及び／又は角度を制御する。
【００２５】
かかる構成とすれば、遠隔操作手段でワイヤウインチのドラムを回転させることによってワイヤを上下させ、又は停止させて、オーガ排出口カバーのホース部の長さを調節したり、又は曲げ状態にすることができる。
【００２６】
【発明の実施の形態】
図１は本発明に係るオーガ排出口カバー１（図２）を装備したコンバインである。コンバイン１００の前面に配置された刈取部１０２によって刈り取られた稲は脱穀部１０４に搬送され、脱穀・選別されて穀粒とワラくずに分けられる。
【００２７】
このうち穀粒はグレインタンク１０６に貯められ、一定量に達するとオーガ筒１０８を介して、その先端部に開口されたオーガ排出口１１０を通り、本発明のオーガ排出口カバー１の端部、即ち穀粒排出口１６より排出される。このようにして穀粒２０２は、例えばトラックの荷台に載置された穀粒入れ箱２０４に積載される。
【００２８】
図２は本発明のオーガ排出口カバー１の実施態様の一つである。１２はホース部であり本実施態様においては蛇腹構造をとり、接合部１４によってオーガ筒１０８の端部に開口して形成されたオーガ排出口１１０と接続されている。
【００２９】
穀粒排出口１６には重みによってオーガ排出口カバー１全体を安定させるために、リングを取り付けても良い。また、ホースリング１８はオーガ排出口１１０とオーガ排出口カバー１との接合を補強したり、特にホース部１２を曲げたい位置に取り付けても良い。
【００３０】
オーガ排出口カバー１は可撓性合成樹脂で形成され、自由に曲げることができ、図２のようにその曲げ状態を維持することができる。従って、図２のようにホース部を曲げることによって穀粒を排出する方向を変えることができ、穀粒袋や穀粒入れ箱等に穀粒を略一様に貯めることができる。
【００３１】
また、図２におけるホースリング１８のない図３以下の実施態様のオーガ排出口カバー１も、上述のように可撓性合成樹脂で形成されており、かつ蛇腹構造をとっているため、図３（ａ）及び図４（ａ）に示すように伸縮自在である。又、図３（ｂ）及び図４（ｂ）のように伸び状態及び縮み状態で曲げ状態を維持することも可能である。
【００３２】
上述のように、オーガ筒は伸縮できず、しかも従来のオーガ排出口はオーガ筒に対して直角に固定されているので、図１のような穀粒入れ箱に均等に穀粒を貯めようとする場合はオーガ筒を操作するかコンバイン自身又はトラックあるいは穀粒入れ箱２０４を移動させる必要があり、非常に煩わしかった。しかし上記のように、本実施態様のオーガ排出口カバー１は伸縮自在でかつ曲げ状態、伸び状態等を維持できるので、図５のように穀粒排出口１６の位置及び角度を容易に調整して、開口部の広い穀粒入れ箱２０４にも穀粒２０２を均等に貯めることができる。また、穀粒排出口１６に取り付けた上記リングに取っ手をつけて、操作しやすくしてもよい。
【００３３】
更に、オーガ排出口カバー１のホース部１２を伸ばしたり曲げたりして、図５のように穀粒入れ箱２０４の開口部から穀粒袋等内部に穀粒排出口１６が入った状態で穀粒を排出すれば、穀粒が飛散するのを防ぐことができる。風の影響も回避でき、穀粒の収穫率を上げることができる。穀粒排出口の先端に先端部の広がったカバーを嵌合させて、更に穀粒の飛散を防止してもよい。
【００３４】
尚、上記可撓性合成樹脂はナイロン、ポリエチレン等から形成されるが、曲げ及び／又は伸縮可能で、かつ曲げ状態、及び／又は伸び状態、縮み状態を維持できる素材であれば上記素材に限定されない。
【００３５】
同様に本実施態様において、ホース部１２は蛇腹構造としたが、本発明のホース部は、中空かつ曲げ及び／又は伸縮可能で、曲げ状態、及び／又は伸び状態、縮み状態を維持できるのであれば形状及び構造により限定されるものではない。ホース部１２の断面形状も円のみに限定されず、楕円又は多角形等であってもよい。
【００３６】
図１１は、本発明に係るオーガ排出口カバーの別の実施態様における穀粒排出口を表す。本実施態様における穀粒排出口１６は、排出規制手段６９を備えている。この排出規制手段６９は雄ネジ部７０と、雌ネジ部７２とが螺合して構成され、雄ネジ部７０の内部に中子部７４が中子軸７６により雄ネジ部７０に固定されている。穀粒排出口１６以外の構成は、上記実施態様のオーガ排出口カバーと同じであってよい。
【００３７】
図１１（ａ）のように穀粒を排出する際に雌ネジ部７２を緩めておくと、穀粒排出口１６の長さは長くなる。従って排出する穀粒は一旦中子部７４で外側にはじかれた後、長い穀粒排出口１６の内壁に当たるため、穀粒の排出する位置を集中させることができる。
【００３８】
一方、雌ネジ部７２を締めておくと、図１１（ｂ）のように穀粒排出口１６の長さは短くなる。この場合中子部で外側にはじかれた穀粒は、穀粒排出口１６の内壁に当たることが殆どないため、分散されて広い範囲に穀粒を貯めることができる。
【００３９】
従って、本実施態様においては、雌ネジ部７２の締め具合を調整することによって広い範囲に穀粒を貯めたり、あるいは、穀粒入れ箱に積載された穀粒全体のバランスが悪くなれば、上述のように穀粒排出口１６の位置、角度を調整し、雌ネジ部７２を緩めて、集中的に穀粒を貯めることができる。
【００４０】
次に、上記発明のオーガ排出口カバーを遠方から操作する、本発明に係るコントロールスティックについて説明する。
【００４１】
オーガ筒１０８は一般に数メートルあり、例えばコンバイン１００の運転手が運転席からオーガ排出口カバー１を伸縮させたり、曲げたりすることは不可能である。従って運転手一人がオーガ排出口カバー１を操作するには、その都度コンバイン１００とトラック２００の間を行き来する必要がある。
【００４２】
また、補助作業者がいてもトラック一杯に穀粒入れ箱２０４が載っていたり、当該穀粒入れ箱２０４が大きかったり、オーガ排出口カバー１の位置が高かったりして、人間の手がオーガ排出口カバー１に届かない場合が往々にして生じる。従って、このような場合は穀粒２０２を穀粒入れ箱２０４に均等に貯めることが困難になる。本発明に係るコントロールスティックは、このような問題を解決すべく提供される。
【００４３】
図６は、コントロールスティック５１を用いて本発明のオーガ排出口カバー１を操作する様子を表している。コントロールスティック５１は図７に示すように、棒状体６４の先端にオーガ排出口カバー１のホース部１２を支持する支持部６２を備え、ハンドル部６０を持って操作する。
【００４４】
支持部６２は、例えば蛇腹のホース部１２の谷部にセットされ、押したり（図６（ａ））引いたり（図６（ｂ））又は左右に動かすことによってオーガ排出口カバー１の穀粒排出口１６の位置をコントロールすることができる。又は、支持部６２を支点として、左右に回転させ、或は上下動等させることでホース部１２を曲げることができる。ホース部１２が蛇腹構造でない場合でも、例えば上述のホースリング上部に支持部６２をセットする等することもできる。
【００４５】
また、支持部６２の形はホース部１２に固定できるものであれば、図７（ａ）のように係合させるタイプのものでも、図７（ｂ）のように挟むタイプのものでも又は他のタイプのものでもよい。ベルトやチューブでホース部１２に固定してもよい。またハンドルも、コントロールスティック５１を左右、上下、前後に動かし回転することができれば、その形状に依存しない（図７（ａ）、（ｂ））。又、棒状部６４の長さを調節できるようにすると更に便利である。
【００４６】
このようにコントロールスティック５１を操作して、オーガ排出口カバー１から離れた位置にいても、その穀粒排出口１６の位置及び角度を調整することができる。
【００４７】
次に本発明に係るオーガ排出口カバーの別の実施態様について説明する。
【００４８】
本実施態様においては、図８に示されるように、接合部１４にワイヤウインチ２０を複数個配置し、それぞれのワイヤウインチ２０のワイヤ２６が真下に伸びる位置で穀粒排出口１６に固定する。ワイヤウインチ２０は、ブロック図１０（ｂ）に表されるようにワイヤ２６が巻きつけられる軸部のドラム２２と、ドラム２２を回転させるモータ２３と、遠隔操作手段３０（図１０（ａ））からの信号を受信してモータ２３の回転を制御する制御部２４から構成される。尚、接合部１４に取り付けるワイヤウインチ２０の個数に特に制限はないが、３個ないし４個が好ましい。
【００４９】
また、遠隔操作手段３０は例えば図１０（ａ）のように、ワイヤウインチを選択する選択ボタン３２、及びワイヤウインチにワイヤを巻上げ、巻下げ、又は停止させる信号を発する操作ボタン３４を備えている。ここで信号は電波でも赤外線でもよく、特に制限されない。
【００５０】
遠隔操作手段３０から信号を受けたワイヤウインチ２０の制御部２４は、信号の種類に応じてモータ２３を回転又は停止させてワイヤ２６を上下させる。図８（ａ）のように４つのワイヤウインチ２０が同時にワイヤ２６を引き上げた場合は、オーガ排出口カバー１のホース部１２は縮み状態となる。逆に全部のワイヤウインチ２０が同時にワイヤ２６を下げた場合は、ホース部１２は伸び状態となる。
【００５１】
また、例えば図８（ｂ）のようにワイヤウインチ４４を引き上げ、他のワイヤの長さを対応するワイヤウインチで微調節することで、オーガ排出口カバー１のホース部１２を４つの方向に曲げることもできる。一般に設置したワイヤウインチの個数分の方向にホース部１２を曲げて、穀粒排出口１６の角度を調整することができる。
【００５２】
図１２は、本発明に係る遠隔操作手段で制御するオーガ排出口カバーの別の実施態様を表す。本実施態様における穀粒排出口１６は排出規制手段６９を備えており、排出規制手段６９は外管７３を内管７１に外嵌して構成され、内管７１の内部に中子部７４が中子軸７６により内管７１に固定されている。
【００５３】
また、上記実施態様と同様に、接合部１４には複数のワイヤウインチ２０が取り付けられ、ワイヤウインチ２０のドラム２２に巻きつけられたワイヤ２６がホース部１２の長手方向に伸びて、外管７３に固定されている。本実施態様においてはホース部１２は伸縮する必要はなく、曲げ状態をホース部１２自身が維持できる必要はない。
【００５４】
その他の構成は上記実施態様のオーガ排出口カバーと同じであってよく、ワイヤウインチ２０は上記実施例と同様に遠隔操作手段によって操作され、信号によってワイヤを上げ下げすることができる。そして図１２（ａ）、（ｂ）のように外管７３を上下させて穀粒排出口１６の長さを調整することにより、上述のように広い範囲に穀粒を散らしたり、集中的に穀粒を貯めたりすることができる。
【００５５】
また本実施態様のオーガ排出口カバーは、図１２（ｂ）のように外管７３を最上部にまで引き上げ、ホース部１２を可撓性で伸縮可能とすれば、上記実施態様のオーガ排出口カバーと同様に遠隔操作することができる。即ち外管７３の先端に設けられたストッパーに内管７１が引っ掛かって穀粒排出口１６は一体化し、上記実施態様のように遠隔操作手段３０を操作してホース部１２を曲げ、又は伸び縮みさせることで穀粒排出口１６の位置及び角度を調整することができる。
【００５６】
本発明は表記の形態に限定されない。本発明はその趣旨を逸脱しない範囲で当業者の知識に基づき種々なる改良、修正、変形を加えた態様で実施できるものである。
【００５７】
【発明の効果】
本発明に係るオーガ排出口カバーをオーガ排出口に取り付けて用いれば、上述のように穀粒を排出する位置と角度を調整できるため、穀粒を偏ることなく、バランスよく穀粒袋に入れることができる。また、ホース部を蛇腹構造等にすれば伸縮自在となって穀粒排出口の可動範囲を広げ、当該穀粒排出口を穀粒袋内に位置させて排出することにより穀粒の飛散を防ぐことができる。
【００５８】
更に、本発明に係るオーガ排出口カバーの穀粒排出口の長さを調節できるように構成し、穀粒排出口内部に中子を支持して設けることにより、穀粒を広範囲に分散させたり、又は集中させて積層することができる。
【００５９】
本発明に係るコントロールスティックを前後左右に動かし、あるいは回転させることにより、遠方からオーガ排出口カバーのホース部の角度、位置を調節でき、又はホース部を曲げることができる。従って穀粒排出口が手が届かない高い位置や遠い位置にあるときでも、穀粒をバランスよく穀粒袋に貯めることができる。
【００６０】
また、ワイヤウインチを本発明に係るオーガ排出口カバーに取り付けて、遠隔操作によりワイヤウインチのドラムを回転させるようにすれば、離れた位置からオーガ排出口カバーのホース部の長さを調節し、又は曲げることによって、穀粒排出口の位置及び角度を調整することができる。この場合はコンバインの運転席からもオーガ排出口カバーを遠隔操作手段により制御でき、穀粒袋等に近かづかなくても略均等に穀粒を袋に詰めることができる。
【００６１】
更に、本発明に係るオーガ排出口カバーの穀粒排出口の長さを調節できるように構成し、穀粒排出口内部に中子を支持して設けることにより、遠隔操作手段で遠隔操作することによって穀粒を広範囲に分散させたり、又は集中させて積層することができる。
【００６２】
【図面の簡単な説明】
【図１】本発明に係るオーガ排出口カバーを装備したコンバインの概略図及び穀粒を排出する様子を表す図。
【図２】本発明に係るオーガ排出口カバーの斜視図。
【図３】本発明に係る別の実施態様のオーガ排出口カバーの側面概略図であって、
（ａ）伸び状態のオーガ排出口カバーの側面概略図。
（ｂ）伸び状態かつ曲げ状態のオーガ排出口カバーの側面概略図。
【図４】図３の実施態様のオーガ排出口カバーの側面概略図であって、
（ａ）縮み状態のオーガ排出口カバーの側面概略図。
（ｂ）縮み状態かつ曲げ状態のオーガ排出口カバーの側面概略図。
【図５】図３又は図４のオーガ排出口カバーを用いて穀粒入れ箱に穀粒を排出する様子を表す図。
【図６】本発明に係るコントロールスティックで本発明に係るオーガ排出口カバーを操作する様子を表す状態図。
（ａ）コントロールスティックを押した場合の状態図。
（ｂ）コントロールスティックを引いた場合の状態図。
【図７】（ａ）本発明に係るコントロールスティックの側面図。
（ｂ）本発明に係る別の態様のコントロールスティックの側面図。
【図８】本発明に係る更に別の実施態様のオーガ排出口カバーを遠隔操作手段で操作する様子を表す状態図。
（ａ）蛇腹のホース部を縮めた場合の状態図
（ｂ）蛇腹のホース部を縮めたまま、曲げた場合の状態図。
【図９】ワイヤウインチを４つ取り付けた図８のオーガ排出口カバーの断面図。
【図１０】（ａ）本発明に係るオーガ排出口カバーを遠隔操作するための遠隔操作手段の正面図。
（ｂ）本発明に係るオーガ排出口カバーに取り付けられるワイヤウインチを表すブロック図。
【図１１】本発明に係る更に別の実施態様のオーガ排出口カバーの穀粒排出口の断面図。
（ａ）雌ネジを緩めて排出される穀粒を集中させた場合の穀粒排出口の断面図。
（ｂ）雌ネジを締めて排出される穀粒を分散させた場合の穀粒排出口の断面図。
【図１２】本発明に係る更に別の実施態様の遠隔操作するオーガ排出口カバーの断面図。
（ａ）外管を下げた場合のオーガ排出口カバーの断面図。
（ｂ）外管を上げた場合のオーガ排出口カバーの断面図。
【符号の説明】
１：本発明に係るオーガ排出口カバー
１２：ホース部
１４：接合部
１６：穀粒排出口
１８：ホースリング
２０：ワイヤウインチ
２２：ドラム
２３：モータ
２４：制御部
２６：ワイヤ
３０：遠隔操作手段
３２：選択ボタン
３４：操作ボタン
４２、４４，４６、４８：ワイヤウインチ
５１：コントロールスティック
６０：ハンドル
６２：支持部
６４：棒状体
６９：排出規制手段
７０：雄ネジ部
７１：内管
７２：雌ネジ部
７３：外管
７４：中子部
７６：中子軸
１００：コンバイン
１０２：刈取部
１０４：脱穀部
１０８：オーガ筒
１１０：オーガ排出口
２００：トラック
２０２：穀粒
２０４：穀粒入れ箱
【図１】
2004147617.tif 000003
【図２】
2004147617.tif 000004
【図３】
2004147617.tif 000005
【図４】
2004147617.tif 000006
【図５】
2004147617.tif 000007
【図６】
2004147617.tif 000008
【図７】
2004147617.tif 000009
【図８】
2004147617.tif 000010
【図９】
2004147617.tif 000011
【図１０】
2004147617.tif 000012
【図１１】
2004147617.tif 000013
【図１２】
2004147617.tif 000014